(57)【特許請求の範囲】
【請求項１】
吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、回転可能にして、前記加湿容器内の前記加湿水にその下端を浸漬した加湿体とを有し、前記送風機の吹出側から前記本体ケースの排気口の間に、この送風機の吹出側から前記加湿器を介して本体ケースの排気口を結ぶ排気経路を形成し、前記加湿体は、通風路を阻害しない開口部を備えた枠体と、伸縮自在な素材で袋状に構成した加湿フィルタとを備え、前記枠体は前記加湿フィルタの袋部分に挿入され、前記枠体の一部は、前記加湿フィルタより露出し、かつ加湿水よりも上方に位置する取手となることを特徴とする加湿空気清浄機。
【発明の詳細な説明】
【技術分野】
【０００１】
本発明は、室内空気の加湿および、空気清浄を行う加湿空気清浄機に関するものである。
【背景技術】
【０００２】
従来、この種の加湿空気清浄機は、以下のような構成となっていた。
【０００３】
すなわち、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から前記加湿器を介して本体ケースの排気口を結ぶ排気経路を形成した構成となっていた。
【０００４】
また、前記加湿体は、回転駆動機構によって回転する円盤構成となっており、非回転時には、浸水しない非浸水部を設けているものである（例えば、特許文献１参照）。
【先行技術文献】
【特許文献】
【０００５】
【特許文献１】特開２００９−８５５１１号公報
【発明の概要】
【発明が解決しようとする課題】
【０００６】
上記従来例における課題は、加湿器使用を長期間実施した場合に、水の鉱物成分が加湿体に付着して加湿性能が劣化するためメンテナンスが必要であるが、加湿体は、枠体の中に加湿フィルタが挿入されているため、加湿フィルタのメンテナンスが困難であった。
【０００７】
すなわち、加湿フィルタが吸水性を持ったジグザグに折り畳まれた円盤状のフィルタであり、加湿フィルタを長期間放置すると加湿フィルタが鉱物成分により目詰まりを起こして本来の加湿するための給水性能を維持できないものであり、給水性能を復元するためには加湿フィルタを枠体から取り外して洗浄等のメンテナンスする必要がある。
【０００８】
しかしながら、加湿フィルタは枠体の中に取り付けられており、枠体を取り外すことが力のない女性や子供には困難な場合があった。
【０００９】
したがって、メンテナンスを容易にする対策が求められている。
【００１０】
そこで、本発明は、加湿フィルタを容易にメンテナンスできるようにすることを目的とするものである。
【課題を解決するための手段】
【００１１】
そして、この目的を達成するために、本発明は、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、回転可能にして、前記加湿容器内の前記加湿水にその下端を浸漬した加湿体とを有し、前記送風機の吹出側から前記本体ケースの排気口の間に、この送風機の吹出側から前記加湿器を介して本体ケースの排気口を結ぶ排気経路を形成し、前記加湿体は、通風路を阻害しない開口部を備えた枠体と、伸縮自在な素材で袋状に構成した加湿フィルタとを備え、前記枠体は前記加湿フィルタの袋部分に挿入され、前記枠体の一部は、前記加湿フィルタより露出し、かつ加湿水よりも上方に位置する取手となるものであり、これにより初期の目的を達成するものである。
【発明の効果】
【００１２】
以上のように本発明は、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、回転可能にして、前記加湿容器内の前記加湿水にその下端を浸漬した加湿体とを有し、前記送風機の吹出側から前記本体ケースの排気口の間に、この送風機の吹出側から前記加湿器を介して本体ケースの排気口を結ぶ排気経路を形成し、前記加湿体は、通風路を阻害しない開口部を備えた枠体と、伸縮自在な素材で袋状に構成した加湿フィルタとを備え、前記枠体は前記加湿フィルタの袋部分に挿入され、前記枠体の一部は、前記加湿フィルタより露出し、かつ加湿水よりも上方に位置する取手となるものであり、加湿フィルタのメンテナンスを容易にすることができる。
【００１３】
すなわち、本発明において、加湿フィルタが伸縮自在な素材で構成され、枠体に外部から被さる構成のため、枠体から簡単に取り外すことが可能であり、また枠体の一部が加湿フィルタから露出するため、枠体の露出する部分と加湿フィルタを引っ張るだけで加湿フィルタを取り外すことができ、容易にメンテナンスすることができるものである。
【図面の簡単な説明】
【００１４】
【図１】本発明の一実施形態の加湿空気清浄機の使用状態を示した斜視図
【図２】同加湿空気清浄機の分解斜視図
【図３】同加湿空気清浄機の加湿フィルタの斜視図
【図４】同加湿空気清浄機の枠体の斜視図
【図５】同加湿空気清浄機の加湿体の斜視図
【図６】同加湿空気清浄機の加湿空気清浄運転時の断面図
【図７】同加湿空気清浄機の空気清浄運転時の断面図
【発明を実施するための形態】
【００１５】
以下、本発明の一実施形態を、添付図面を用いて説明する。
【００１６】
図１において、１は加湿空気清浄機で、室内２の床３上に設置され、後述するように、空気清浄運転と、加湿空気清浄運転を選択的に行うことができるようになっている。
【００１７】
加湿空気清浄機１は、図２に示すように、前面側の吸気口４と、上面側の排気口５を有する箱型の本体ケース６を有する。
【００１８】
また、前記本体ケース６内の上下方向の中央部分には送風機７が設けられ、この送風機７の吸込側と前記本体ケース６の吸気口４の間には、吸気口４側から送風機７に向けて集塵フィルタ８と、脱臭フィルタ９が設置されている。
【００１９】
一方、前記本体ケース６内の下方には加湿器１０が設けられている。
【００２０】
この加湿器１０は、加湿水１１が収納された上面が開口した加湿容器１２と、この加湿容器１２内の加湿水１１内に、その下端が浸漬された薄板状の加湿体１３と、前記加湿容器１２内に水を補給するための給水タンク１４とを有する。
【００２１】
前記送風機７は、シロッコファンまたはターボファンにて構成されている。
【００２２】
ここで、図３、図４、図５に示すように、加湿体１３は、枠体１５および加湿フィルタ１６により構成されている。
【００２３】
加湿フィルタ１６は、伸縮可能な素材であり、フィルタ全体の体積を変容できるものである。ここでは一例として立体編物を使用したものを使用している。加湿フィルタ１６を袋状に構成しており、広い開口部１８を有する枠体１５を加湿フィルタ１６の開口から袋部分に挿入することで、加湿体１３となる。ここで枠体１５は加湿フィルタ１６から一部露出しており、露出した部分は取手１７となっている。
【００２４】
上記構成において、図６に示すように、加湿体１３の加湿フィルタ１６にて覆われている部分が下側に向けられ、加湿容器１２の中に入っている加湿水１１に加湿フィルタ１６が浸っている時が、加湿空気清浄運転を実施している状況である。
【００２５】
図７に示すように、加湿体１３を上下方向に１８０度回転させると、加湿体１３の加湿フィルタ１６で覆われていない枠体の部分が露出した側が下側となり、加湿容器１２の中に入っている加湿水１１に加湿フィルタ１６が浸っていない時が、空気清浄運転を実施する場合である。
【００２６】
加湿フィルタ１６は自給で水を吸上げるが、加湿体１３を回転させると加湿フィルタ１６の外周部分から水を吸上げるため、吸上げる面積が拡大して加湿効率は向上する。この場合でも加湿体１３の加湿フィルタ１６で覆われていない枠体の部分が露出した部分の位置関係を検知することで、加湿をしないで空気清浄運転だけをする場合には、加湿体１３の加湿フィルタ１６で覆われていない枠体の部分が露出した側が下側になったときに停止させれば良い。
【００２７】
また、枠体１５は部分的に加湿水１１に浸漬するため、回転して使用する場合には、開口部１８の開口面積を十分に取り、水膜を形成しないように構成することが望ましい。
【００２８】
この空気清浄運転においては、加湿体１３に備えられた加湿フィルタ１６がしばらく送風機７で送風されるか、または運転が停止されれば、加湿フィルタ１６に含まれた水分が気化するため、加湿フィルタ１６は乾燥した状態となり、湿潤した加湿フィルタ１６を長期間放置すると繁殖する細菌が繁殖できないため、清潔であり加湿フィルタ１６から発生する細菌が原因の臭いを防止することができる。
【００２９】
以上のように、本発明によれば、加湿フィルタ１６が伸縮自在な素材で構成され、枠体１５に外部から被さる構成のため、枠体１５から簡単に取り外すことが可能であり、また枠体１５の一部が加湿フィルタ１６から露出するため、枠体１５の露出する部分である取手１７と加湿フィルタ１６を引っ張るだけで加湿フィルタ１６を取り外すことができ、容易にメンテナンスすることができる。
【産業上の利用可能性】
【００３０】
以上のごとく本発明においては、加湿フィルタが伸縮自在な素材で構成され、枠体に外部から被さる構成のため、枠体から簡単に取り外すことが可能であり、また枠体の一部が加湿フィルタから露出するため、枠体の露出する部分と加湿フィルタを引っ張るだけで加湿フィルタを取り外すことができ、容易にメンテナンスすることができるものである。
【００３１】
したがって、加湿空気清浄機として極めて有用なものとなる。
【符号の説明】
【００３２】
１    加湿空気清浄機
２    室内
３    床
４    吸気口
５    排気口
６    本体ケース
７    送風機
８    集塵フィルタ
９    脱臭フィルタ
１０  加湿器
１１  加湿水
１２  加湿容器
１３  加湿体
１４  給水タンク
１５  枠体
１６  加湿フィルタ
１７  取手
１８  開口部
【図１】
0005690997.tif 000002
【図２】
0005690997.tif 000003
【図３】
0005690997.tif 000004
【図４】
0005690997.tif 000005
【図５】
0005690997.tif 000006
【図６】
0005690997.tif 000007
【図７】
0005690997.tif 000008